【事件の表示】
　特許第３２２４５７３号「使い捨ておむつ」の請求項１ないし３に係る特許に対する特許異議の申立てについて、次のとおり決定する。
【結　論】
　訂正を認める。
　特許第３２２４５７３号の請求項１ないし２に係る特許を維持する。
【理　由】
Ｉ　手続の経緯
　
　特許第３２２４５７３号の請求項１〜２に係る発明についての手続の経緯は、およそ次のとおりである。
（１）特許出願　平成３年１１月２７日
（２）特許権の設定の登録　平成１３年８月２４日
（３）特許掲載公報の発行　平成１３年１０月２９日
（４）伊藤廣美より特許異議の申立て　平成１４年４月１８日
（５）取消理由通知書の発送　平成１４年８月３０日
（６）特許権者より特許異議意見書の提出及び訂正請求（指定期間内）　平成１４年１０月２８日
　
ＩＩ　訂正の適否について
　
１　訂正の内容
　本件特許異議の申立ては請求項１〜３に対してされ、本件訂正請求は、願書に添付した明細書の記載について、次のア〜イのとおりに訂正することを求めている。
　ア　特許請求の範囲の記載について、
「【請求項１】液透過性の表面シートと液不透過性の裏面シートとこれら両シート間に位置する吸収体とを有するおむつ本体及び該おむつ本体を着用者に保持するファスニングテープが貼着されるターゲットテープを備える使い捨ておむつにおいて、
　上記ターゲットテープの表面に、側鎖にアルキル基を導入したシリコーンが塗布されており、
　上記ファスニングテープは、その先端部の上記ターゲットテープと接する面に粘着剤を有し、
　上記ターゲットテープに対する上記ファスニングテープの剥離力が３００ｇ／２５ｍｍ〜１５００ｇ／２５ｍｍであることを特徴とする使い捨ておむつ。
　【請求項２】上記ターゲットテープに対する上記ファスニングテープの剥離音が、
（１）可聴域の周波数域における騒音レベルが６０ｄＢ以下、
（２）１〜６．３ＫＨｚ周波数において、騒音レベルの極大値が４５ｄＢ以下で且つ該極大値と極小値との差が小さい、
（３）１ＫＨｚより小さい低周波数域に騒音レベルが出現しない、
ことを特徴とする請求項１記載の使い捨ておむつ。
　【請求項３】上記ターゲットテープの基材が延伸ポリプロピレンであり、上記ファスニングテープの基材がポリエチレン又はポリプロピレンである請求項１又は２記載の使い捨ておむつ。」
を、
「【請求項１】液透過性の表面シートと液不透過性の裏面シートとこれら両シート間に位置する吸収体とを有するおむつ本体及び該おむつ本体を着用者に保持するファスニングテープが貼着されるターゲットテープを備える使い捨ておむつにおいて、
　上記ターゲットテープの基材が延伸ポリプロピレンで、かつ上記ファスニングテープの基材がポリエチレン又はポリプロピレンであり、
　上記ターゲットテープの表面に、側鎖にアルキル基を導入したシリコーンが塗布されており、上記ファスニングテープは、その先端部の上記ターゲットテープと接する面に粘着剤を有し、上記ターゲットテープに対する上記ファスニングテープの剥離力が３００ｇ／２５ｍｍ〜１５００ｇ／２５ｍｍであることを特徴とする使い捨ておむつ。
　【請求項２】上記ターゲットテープに対する上記ファスニングテープの剥離音が、（１）可聴域の周波数域における騒音レベルが６０ｄＢ以下、（２）１〜６．３ＫＨＺ周波数において、騒音レベルの極大値が４５ｄＢ以下で且つ該極大値と極小値との差が小さい、（３）１ＫＨＺより小さい低周波数域に騒音レベルが出現しない、ことを特徴とする請求項１記載の使い捨ておむつ。」
に訂正する。
　イ　発明の詳細な説明の段落【０００８】の記載について、
「【課題を解決するための手段】本発明は、液透過性の表面シートと液不透過性の裏面シートとこれら両シート間に位置する吸収体とを有するおむつ本体及び該おむつ本体を着用者に保持するファスニングテープが貼着されるターゲットテープを備える使い捨ておむつにおいて、上記ターゲットテープの表面に、側鎖にアルキル基を導入したシリコーンが塗布されており、上記ファスニングテープは、その先端部の上記ターゲットテープと接する面に粘着剤を有し、上記ターゲットテープに対する上記ファスニングテープの剥離力が３００ｇ／２５ｍｍ〜１５００ｇ／２５ｍｍであることを特徴とする使い捨ておむつを提供することにより、上記目的を達成したものである。」
を、
「【課題を解決するための手段】本発明は、液透過性の表面シートと液不透過性の裏面シートとこれら両シート間に位置する吸収体とを有するおむつ本体及び該おむつ本体を着用者に保持するファスニングテープが貼着されるターゲットテープを備える使い捨ておむつにおいて、上記ターゲットテープの基材が延伸ポリプロピレンで、かつ上記ファスニングテープの基材がポリエチレン又はポリプロピレンであり、上記ターゲットテープの表面に、側鎖にアルキル基を導入したシリコーンが塗布されており、上記ファスニングテープは、その先端部の上記ターゲットテープと接する面に粘着剤を有し、上記ターゲットテープに対する上記ファスニングテープの剥離力が３００ｇ／２５ｍｍ〜１５００ｇ／２５ｍｍであることを特徴とする使い捨ておむつを提供することにより、上記目的を達成したものである。」
に訂正する。
　
２　訂正の目的の適否、新規事項の追加の有無及び特許請求の範囲の拡張・変更の存否
　前記アの訂正は、請求項１の使い捨ておむつを構成するターゲットテープ及びファスニングテープについてさらにそれらの基材を限定して、「上記ターゲットテープの基材が延伸ポリプロピレンで、かつ上記ファスニングテープの基材がポリエチレン又はポリプロピレンである」ことを規定するとともに、請求項３を削除するものであるから、特許請求の範囲の減縮を目的とするものに該当する。
　前記イの訂正は、特許請求の範囲を前記アのように訂正したことに伴って、発明の詳細な説明の記載をこれに整合させるものであるから、明りょうでない記載の釈明を目的とするものに該当する。
　そして、前記ア〜イの訂正は、訂正前の明細書の特許請求の範囲及び発明の詳細な説明の段落【００１８】〜【００１９】の記載に基づくものであるから、これらの訂正は、願書に添付された明細書に記載した事項の範囲内においてされたものである。
　さらに、前記ア〜イの訂正は、特許請求の範囲を実質上拡張するものでも変更するものでもない。
　
３　むすび
　以上のとおりであるから、本件訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第第１項ただし書及び第２項の規定に適合するので、当該訂正を認める。
　
ＩＩＩ　特許異議の申立てについて
　
１　本件発明
　本件特許の請求項１及び２に係る発明（以下、それぞれ「第１発明」及び「第２発明」という。）は、訂正明細書及び図面の記載から見て、その特許請求の範囲の請求項１〜２に記載されたとおりのものと認められるところ、その記載は前記ＩＩの１のアに摘記したとおりである。
　
２　特許異議申立ての概要
　特許異議申立人は、後記の証拠方法を提出し、次の（１）〜（２）の申立て理由により、訂正前の請求項１〜３に係る特許は取り消されるべきものである旨主張している。
（１）訂正前の請求項１〜３に係る発明は、本件出願前に国内において頒布された甲第１〜５号証の各刊行物に記載された発明及び本件出願前における周知慣用技術に基づいて、本件出願前に当業者が容易に発明をすることができたものであるから、特許法第２９条第２項の規定により特許を受けることができないものである。
（２）本件出願は、訂正前の明細書の発明の詳細な説明の記載に不備があるから、特許法第３６条第４項所定の要件を満たしていないものである。
（証拠方法）
　甲第１号証：特開平１−１６２８０４号公報（以下、「刊行物４」という。）
　甲第２号証：特開昭５８−２０３１０１号公報（以下、「刊行物１」という。）
　甲第３号証：特開昭６４−７７６０４号公報（以下、「刊行物２」という。）
　甲第４号証：特許庁公報５９（１９８４）−１２８〔３８２４〕周知・慣用技術集（接着）、１９０頁（以下、「刊行物３」という。）
　甲第５号証：実願昭６３−９８２６９号（実開平２−２０５３０号）のマイクロフィルム（以下、「刊行物５」という。）
　
３　取消理由に引用した刊行物とその記載内容
　当審では、刊行物１〜５を引用した。
（１）刊行物１には、次の1a〜1fの事項が図面（第１〜３図）とともに記載されている。
　1a　「おむつ本体の前身頃部分外面に前身頃部分の幅方向に延在する補強シートを貼付し、おむつの装着時に、おむつ本体の後身頃部分側縁に固定されたファスナーの自由端接着部分を受けるようにしたことを特徴とする紙おむつ。」［特許請求の範囲］
　1b　「本発明は使い捨て紙おむつに関し、さらに詳細にはファスナーの脱着繰り返しが可能な使い捨て紙おむつに関する。」［第１頁左下欄第１１〜１３行］
　1c　「本発明は、おむつ本体の前身頃部分外面に前身頃部分の幅方向に延在する補強シートを貼付し、おむつの装着時に、おむつ本体の後身頃部分側縁に固定されたファスナーの自由端接着部分を受けるようにしたことを特徴とするものである。」［第２頁左上欄第８〜１３行］
　1d　「おむつ本体１は、たとえばポリエチレンの薄いシート等の流体不浸透性の外面シート２と、装着時に人体に当たる流体浸透性の内面シート３（第２図）と、内外シート２，３間に充填される吸収性パッド４とから構成される。」［第２頁左上欄第１９行〜同頁右上欄第３行］
　1e　「おむつ本体１の後身頃部７にテープファスナー８，８が固着される。ファスナー８，８は、たとえば、紙おむつに汎用されている裏面に感圧接着剤を塗布したテープ状のもので、それぞれ、一端はおむつ本体後身頃部７の側端近くに適宜手段により固着され、他端は装着状態でおむつ本体１の前身頃６の適宜対応位置に接着されるようになっている。」［第２頁右上欄第７〜１４行］
　1f　「補強シート９としては、ファスナー８が裏面に感圧接着剤を塗布したものである場合には、ファスナー８を押圧することにより補強シート９上に固着させることができ、かつ、ファスナー８を引っ張ることによりおむつ本体１の外面シート２を破ることなく容易に補強シート９からファスナー８を剥がすことができるものであることが必要である。好ましい補強シート９としては、表面に離型剤を施した紙あるいはプラスチックシート等を挙げることができる。」［第２頁右上欄第１８行〜同頁左下欄第７行］
　前記1a〜1fの記載事項を第１〜３図を参照しながら総合すると、刊行物１には次の発明（以下、「引用発明」という。）が記載されていると認められる。
　【引用発明】装着時に人体に当たる流体浸透性の内面シート３とポリエチレンの薄いシート等の流体不浸透性の外面シート２と、両シート２，３間に充填される吸収性パッド４とを有する紙おむつ本体１及び紙おむつ本体１の後身頃部分側縁に固定（固着）されたテープファスナー８の自由端接着部分が受けられるところの、紙おむつ本体１の前身頃部分外面に前身頃部分の幅方向に延在する補強シート９が貼付された紙おむつにおいて、補強シート９の基材がプラスチックシートであり、補強シート９の表面に離型剤が施されており、テープファスナー８は、その裏面の前記自由端接着部分に感圧接着剤が塗布されている紙おむつ。
（２）刊行物２には、次の2a〜2bの事項が記載されている。
　2a　「互に重ね合わせた略方形状の不透水性バックシートと透水性トップシートとの間に吸収材を配設したおむつ本体を具備し、かつこのおむつ本体の長さ方向一端側両側縁部に一面に粘着面を有する締結用テープをその先端側をおむつ本体より外方に延出させた状態で取り付けてなり、上記透水性トップシートを内側にして上記おむつ本体を折曲し、上記締結用テープの粘着面を不透水性バックシートに貼着するようにした使い捨ておむつにおいて、上記不透水性バックシートの少なくとも締結用テープを貼着する部分に剥離剤により上記締結用テープの粘着面が剥離可能な剥離処理を行なったことを特徴とする再粘着可能な使い捨ておむつ。」［特許請求の範囲］
　2b　「剥離処理剤としては、剥離性シリコーン、アルキルケテンダイマー、弗素系剥離剤等を使用できるが、剥離性能、取扱い性を考慮すると熱硬化性の剥離シリコーンが最も好適であり、」［第３頁右上欄第１〜５行］
（３）刊行物３には、「はく離紙及び粘着テープにはく離性を付与するはく離剤としてジメチルポリシロキサン（シリコーン系）を用いることが周知慣用技術であること」が記載されている。
（４）刊行物４には、次の4a〜4hの事項が図面（第１〜１９図）とともに記載されている。
　4a　「感圧接着剤がＡＢブロックコポリマーと粘着性付与樹脂とのブレンドから成る固着用感圧接着テープ及びおむつ等の使い捨て衣料品の固着領域を形成するポリオレフィン層から成る該使い捨て衣料品用の感圧接着クロージャーであって、該ポリオレフィン層の固着表面が約５００×の倍率においてぎざぎざの外観を有し、かつ高さが少なくとも２マイクロメーターである、空間が密接した多数の凹凸を有し、（中略）そして３０ｃｍ／分及び１２５０ｃｍ／分の両速度において少なくとも１７５Ｎ／ｍの平均剥離力を与えることを特徴とする前記の使い捨て衣料品用の感圧接着クロージャー。」［特許請求の範囲（１）］
　4b　「ポリオレフィン層がポリプロピレンから成る請求項１〜９項の任意の１項に記載の感圧接着クロージャー。］［特許請求の範囲（１０）］
　4c　「多くの使い捨ておむつには強化された固着領域（時には“目標領域”と称される）を有する。幼児又は他の人に装着し、巻いてあるおむつをその固着領域に固着用感圧接着テープ（時には“クロージヤータブ”と称される）を押し付けて接着、固定する。固着領域が強化されているか、されていないに係わらず、固着用テープはおむつが装着されている間適所にしつかりと保持され、しかも固着領域からきれいに剥ぎ取れ、かつ再びしつかり取り付け可能でなければならない。おむつの使用中に固着用テープをゆるめて行く力が遅い速度で、例えば約３０ｃｍ／分以下の速度で生ずることがあるが、固着用テープがあまりにも容易に、あるいは速く、例えば約５００〜１２５０ｃｍ／分の速度ではずすときにはずすのに過度に大きな衝撃を与えてはがれてしまう場合、おむつを再調整し、あるいは取り除く人はそのクロージヤーは品質がよくないと判断するだろう。本発明者は高低両速度で高剥離抵抗性を与え、しかも高速度において過度に大きな衝撃を与えないおむつ用感圧接着クロージヤーについて従来法にこれを報ずる報文を知らないし、またこのようなおむつ用クロージヤーが市販されており、あるいは売り出されているとも思わない。」［第２頁右下欄第１７行〜第３頁左上欄末行］
　4d　「本発明は高低両速度において高剥離抵抗性を与え、同時に高速度でスムースに剥離可能である、おむつのような使い捨て物品用の感圧接着クロージヤーを初めて提供するものである。ここで“高剥離抵抗性”とは、クロージヤーが少なくとも１７５Ｎ／ｍの下記記載の“平均剥離力”を有することを意味する。“低速度”とは３０ｃｍ（１２インチ）／分を、また“高速度”とは少なくとも１２５０ｃｍ（５００インチ）／分を意味する。高範囲にわたる試験は、感圧接着クロージヤーの剥離性は１２５０ｃｍ／分における平均剥離力が３０ｃｍ／分の平均剥離力の少なくとも８０％であるときはいつでも高速度での衝撃が過度に大きいということはないことを示している。８０％未満では、“衝撃”が過度に大きい剥離に遭遇した。好ましくは、１２５０ｃｍ／分における瞬時剥離力が実質的に平均剥離力の２０％以内に止まることである。感圧接着剤は良好な剪断抵抗性、すなわち少なくとも１５０分の剪断接着値（後記）を与えるものがよい。」［第４頁左上欄１９行〜右上欄１８行］
　4e　「感圧接着テープＣ　両面が艶消表面となっている０．１ｍｍ（４ミル）のポリプロピレンフィルムに感圧接着剤の溶液をナイフコーティングした。」［第７頁左下欄第２０行〜同頁右下欄第３行］
　4f　「おむつ１０は感圧接着テープ１２とおむつの固着領域を覆うポリオレフィンフィルムの矩形体１４より成る感圧接着クロージャーを有する。」［第１０頁左上欄第２〜４行］
　4g　「ポリオレフィンフィルム１　メルトインデックス３５ｇ／分のポリプロピレン樹脂を（中略）スロット押出ダイから温度２６０℃で押し出した。ダイを出た溶融物を“テフロン（teflon）”（ポリテトラフルオロエチレン）で被覆された金属ロールと水冷金属チルロール（水温１８℃）との間のニップに通して（中略）フィルムを得た。チルロール及び“テフロン”被覆ロールは共にミクロ表面形態の特徴を有し、その陰像がポリプロピレンポリマーフィルムに写し取られた。金属チルロールと接触したフィルムの面をここでは“ポリオレフィンフィルム１”と称し、これを第１図に示す。」［第１０頁左下欄第３〜１８行］
　4h　感圧接着クロージャーの性能試験の結果として、第Ｉ表には、ポリプロピレンフィルムを基材とする感圧接着テープＡ〜Ｚと前記4g記載のポリプロピレン樹脂から成るポリオレフィレンフィルム１とを組み合わせた場合の剥離速度３０ｃｍ／分及び１２５０ｃｍ／分における平均剥離力として１７４〜９７９Ｎ／ｍ（すなわち約４４０〜２５００ｇ／２５ｍｍ）の数値が、第ＩＩＩ表には、感圧接着テープＡと上記ポリオレフィレンフィルム１及びポリプロピレン樹脂から成るポリオレフィレンフィルム２〜１２とを組み合わせた場合の３０ｃｍ／分及び１２５０ｃｍ／分における平均剥離力として１３０〜１０２０Ｎ／ｍ（すなわち約３３０〜２６００ｇ／２５ｍｍ）の数値が、それぞれ示されている。［第８頁左上欄第１６行〜第１３頁右上欄末行参照］
（５）刊行物５には、「紙おむつのテープをはがすときの音を静かにするために、テープが貼られる面を、はがす時の音を吸収する、やわらかい素材にすること」が記載されている。
　
４　対比判断
（１）第１発明について
（1-1）訂正明細書の発明の詳細な説明の段落【０００９】の「本発明による使い捨ておむつによれば、ターゲットテープに、側鎖にアルキル基を導入したシリコーンを塗布することにより、該ターゲットテープに止着されるファスニングテープの剥がし音を小さくし、あるいは消音することができる。しかも、ファスニングテープの粘着力をかえるものでないから、ファスニングテープの着脱機能を害することがない。」との記載を参照すると、第１発明の「上記ファスニングテープは、その先端部の上記ターゲットテープと接する面に粘着剤を有し」との文言における「上記ターゲットテープ」とは、その文言の直前の「上記ターゲットテープの表面に、側鎖にアルキル基を導入したシリコーンが塗布されており」との文言を受けたもので、「側鎖にアルキル基を導入したシリコーンが表面に塗布されたターゲットテープ」（以下便宜上、「シリコーン塗布ターゲットテープ」という。）を意味するものと解される。
（1-2）同様に、段落【０００９】の前記記載を参照すると、第１発明の「上記ターゲットテープに対する上記ファスニングテープの剥離力が３００ｇ／２５ｍｍ〜１５００ｇ／２５ｍｍである」との文言における「上記ターゲットテープ」、「上記ファスニングテープ」とは、その文言の直前の「上記ターゲットテープの表面に、側鎖にアルキル基を導入したシリコーンが塗布されており、上記ファスニングテープは、その先端部の上記ターゲットテープと接する面に粘着剤を有し」との文言を受けたもので、それぞれ、「シリコーン塗布ターゲットテープ」、「先端部の面に粘着剤を有するファスニングテープ」（後者を以下便宜上、「粘着剤施与ファスニングテープ」という。）を意味するものと解される。
（1-3）第１発明と引用発明とを対比すると、
引用発明にいう「装着時に人体に当たる流体浸透性の内面シート３」、「ポリエチレンの薄いシート等の流体不浸透性の外面シート２」、「両シート２，３間に充填される吸収性パッド４」、「紙おむつ本体１」、「紙おむつ本体１の後身頃部分側縁に固定（固着）されたテープファスナー８」、「自由端接着部分が受けられるところの」、「紙おむつ本体１の前身頃部分外面に前身頃部分の幅方向に延在する補強シート９」、「貼付された」、「紙おむつ」、「施されており」、「その裏面の前記自由端接着部分に感圧接着剤が塗布されている」は、順に、第１発明にいう
「液透過性の表面シート」、「液不透過性の裏面シート」、「これら両シート間に位置する吸収体」、「おむつ本体」、「該おむつ本体を着用者に保持するファスニングテープ」、「貼着される」、「ターゲットテープ」、「備える」、「使い捨ておむつ」、「塗布されており」、「その先端部の上記ターゲットテープと接する面に粘着剤を有し」に相当する。
  そして、第１発明のターゲットテープの表面に塗布されている「側鎖にアルキル基を導入したシリコーン」と引用発明の補強シートの表面に塗布されている「離型剤」とは、訂正明細書の発明の詳細な説明の段落【００１５】の記載及び刊行物１の前記1fの記載から見て、いずれも、ターゲットテープ（補強シート）からのファスニングテープ（テープファスナー）の剥離を容易にするための「剥離処理剤」であると言える。また、第１発明にいう「延伸ポリプロピレン」がプラスチックシートの１種であることは言うまでもない。
　そうすると、第１発明と引用発明とは、結局、次の一致点で一致し、相違点１〜４でのみ相違すると認められる。
　【一致点】液透過性の表面シートと液不透過性の裏面シートとこれら両シート間に位置する吸収体とを有するおむつ本体及び該おむつ本体を着用者に保持するファスニングテープが貼着されるターゲットテープを備える使い捨ておむつにおいて、上記ターゲットテープの表面に、剥離処理剤が塗布されており、上記ファスニングテープは、その先端部の上記ターゲットテープと接する面に粘着剤を有する使い捨ておむつ。
　【相違点１】第１発明では、ターゲットテープの基材であるプラスチックシートが延伸ポリプロピレンであるのに対し、引用発明では、それに言及しない点。
　【相違点２】第１発明では、ファスニングテープの基材がポリエチレン又はポリプロピレンであるのに対し、引用発明では、それに言及しない点。
　【相違点３】第１発明では、ターゲットテープの表面に塗布される剥離処理剤が側鎖にアルキル基を導入したシリコーンであるのに対し、引用発明では、それに言及しない点。
　【相違点４】第１発明では、シリコーン塗布ターゲットテープに対する粘着剤施与ファスニングテープの剥離力が３００ｇ／２５ｍｍ〜１５００ｇ／２５ｍｍであるのに対し、引用発明では、それに言及しない点。
（1-4）そこで、相違点１及び４について検討する。
（相違点１について）
　刊行物１〜５には、ターゲットテープの基材であるプラスチックシートとして延伸ポリプロピレンを用いることを教える記載はない。刊行物４の前記4a、4b、4f〜4hは、使い捨ておむつを構成する感圧接着クロージャーにおけるポリオレフィン層又はポリオレフィンフィルム（第１発明にいう「ターゲットテープ」に相当する。）として、ダイから凹凸表面を付与されながら押し出されたポリプロピレンフィルムを用いることを教えるものの、このポリプロピレンフィルムを延伸して用いることは教えない。
  したがって、ターゲットテープの基材であるプラスチックシートを延伸ポリプロピレンとすることは、刊行物１〜５の記載からは容易に想到されない。
（相違点４について）
　刊行物４の前記4hは、使い捨ておむつを構成する感圧接着クロージャーにおけるポリオレフィン層又はポリオレフィンフィルム（第１発明にいう「ターゲットテープ」に相当するが、「シリコーン塗布ターゲットテープ」ではない。）に対する感圧接着テープ（第１発明にいう「粘着剤施与ファスニングテープ」に相当する。）の剥離力を約３３０〜２６００ｇ／２５ｍｍとすることを教えるものの、これは、シリコーン塗布ターゲットテープに対する粘着剤施与ファスニングテープの剥離力の値をどの程度に設定するかを教えるものではない。また、刊行物１〜５は、どうすれば使い捨ておむつにおけるシリコーン塗布ターゲットテープに止着される粘着剤施与ファスニングテープの剥がし音を小さくし又は消すことができ、しかも、同ファスニングテープの粘着力を適度に維持してその着脱機能を害することがないものとすることができるかについても全く教えない。
　一方、第１発明は、シリコーン塗布ターゲットテープに対する粘着剤施与ファスニングテープの剥離力を３００ｇ／２５ｍｍ〜１５００ｇ／２５ｍｍとすることによって、ターゲットテープの表面に塗布する剥離処理剤として側鎖にアルキル基を導入したシリコーンを採用したことと相まって、訂正明細書の発明の詳細な説明の表１〜２等に明らかなように、シリコーン塗布ターゲットテープに止着される粘着剤施与ファスニングテープの剥がし音を小さくし又は消すことができ、しかも、同ファスニングテープの粘着力を適度に維持してその着脱機能を害することがない使い捨ておむつを提供するという、刊行物１〜５の記載から到底予測することのできない顕著な作用効果を奏するものである。
（まとめ）
　したがって、引用発明において、相違点２に係る「ファスニングテープの基材をポリエチレン又はポリプロピレンとすること」が刊行物４の記載から、相違点３に係る「（粘着剤施与ファスニングテープが貼着される）ターゲットテープの表面に塗布する剥離処理剤として側鎖にアルキル基を導入したシリコーンを採用すること」が刊行物２〜３の記載から、それぞれ当業者が容易に想到し得るものであるとしても、第１発明は、刊行物１〜５に記載された発明に基づいて当業者が容易に発明をすることができたものではない。
（２）第２発明について
（2-1）前記（1-1）〜（1-2）で説示したと同様の理由により、第２発明にいう「上記ターゲットテープ」、「上記ファスニングテープ」は、それぞれ、シリコーン塗布ターゲットテープ、粘着剤施与ファスニングテープを意味するものと解される。
（2-2）第２発明は、第１発明において、さらに、シリコーン塗布ターゲットテープに対する粘着剤施与ファスニングテープの剥離音の程度を数値限定するものであるところ、前説示のとおり、第１発明が刊行物１〜５に記載された発明に基づいて当業者が容易に発明をすることができたものでない以上、第２発明もまた、刊行物１〜５に記載された発明に基づいて当業者が容易に発明をすることができたものではないのは当然である。
　
ＩＶ　特許異議申立人の申立て理由に対して
　
１　前記ＩＩＩの２の（１）の申立て理由に対して
　特許異議申立人は、刊行物４（甲第１号証）の記載から把握される使い捨ておむつの発明を基に、これに刊行物１〜３、５記載の技術的事項及び本件出願前における周知慣用技術を組み合わせ又は適用すれば、訂正前の請求項１〜３に係る発明に容易に到達できる旨主張する。
　しかし、そもそも刊行物４は、前説示のとおり、ターゲットテープに対する粘着剤施与ファスニングテープの剥離力の値を教えるだけで、シリコーン塗布ターゲットテープに対する粘着剤施与ファスニングテープの剥離力の値をどの程度に設定するかを教えるものではなく、また、刊行物１〜５は、どうすればシリコーン塗布ターゲットテープに止着される粘着剤施与ファスニングテープの剥がし音を小さくし又は消すことができ、しかも、同ファスニングテープの粘着力を適度に維持してその着脱機能を害することがないものとすることができるかについて教えるところが少しもないから、前記主張は失当である。
　
２　同（２）の申立て理由に対して
　特許異議申立人は、訂正前の請求項１（〜３）に係る発明にいう「側鎖にアルキル基を導入したシリコーン」については、当該アルキル基が具体的に説明されておらず、実施例においても具体的な基名（メチル基、エチル基、プロピル基等）や側鎖へのアルキル基の導入量等が明示されていないから、当業者がその実施例を追試することが不可能である旨主張する。
　しかし、側鎖にアルキル基を導入したシリコーンは、いわゆるオルガノポリシロキサンの１種として周知のものであり、また、例えば、アルキル基の１つであるメチル基を側鎖に導入したシリコーンも、刊行物３を挙げるまでもなく周知慣用のものであるから、実施例においてもこのようなアルキル基を導入したシリコーンが用いられているものと当業者には容易に理解できる。
　したがって、訂正前の明細書において、アルキル基が具体的に説明されておらず、実施例においても具体的な基名や側鎖へのアルキル基の導入量等が明示されていないからといって、直ちに、当業者が実施例を追試することが不可能であるとは言えない。
　そして、これに関わる部分の記載に訂正のない訂正明細書の記載によっても当業者が実施例を追試することは可能であり、訂正明細書の発明の詳細な説明には、当業者が容易に発明の実施をすることができる程度に発明の目的、構成及び効果が記載されていると認められるから、前記主張は失当である。
　
Ｖ　むすび
　
　以上のとおりであるから、特許異議申立ての理由によっては本件請求項１〜２に係る特許を取り消すことはできない。また、他に、前記特許を取り消すべき理由を発見しない。
　したがって、前記特許は、拒絶の査定をしなければならない特許出願に対してされたものとは認められないから、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１２月１９日（２００２．１２．１９）
【訂正の要旨】
訂正の要旨
　特許第３２２４５７３号発明の明細書について、次のとおり訂正する。
（１）特許請求の範囲の減縮を目的として、特許請求の範囲の記載を次のように訂正する。
「【請求項１】液透過性の表面シートと液不透過性の裏面シートとこれら両シート間に位置する吸収体とを有するおむつ本体及び該おむつ本体を着用者に保持するファスニングテープが貼着されるターゲットテープを備える使い捨ておむつにおいて、
　上記ターゲットテープの表面に、側鎖にアルキル基を導入したシリコーンが塗布されており、
　上記ファスニングテープは、その先端部の上記ターゲットテープと接する面に粘着剤を有し、
　上記ターゲットテープに対する上記ファスニングテープの剥離力が３００ｇ／２５ｍｍ〜１５００ｇ／２５ｍｍであることを特徴とする使い捨ておむつ。
　【請求項２】上記ターゲットテープに対する上記ファスニングテープの剥離音が、
（１）可聴域の周波数域における騒音レベルが６０ｄＢ以下、
（２）１〜６．３ＫＨｚ周波数において、騒音レベルの極大値が４５ｄＢ以下で且つ該極大値と極小値との差が小さい、
（３）１ＫＨｚより小さい低周波数域に騒音レベルが出現しない、
ことを特徴とする請求項１記載の使い捨ておむつ。
　【請求項３】上記ターゲットテープの基材が延伸ポリプロピレンであり、上記ファスニングテープの基材がポリエチレン又はポリプロピレンである請求項１又は２記載の使い捨ておむつ。」
を、
「【請求項１】液透過性の表面シートと液不透過性の裏面シートとこれら両シート間に位置する吸収体とを有するおむつ本体及び該おむつ本体を着用者に保持するファスニングテープが貼着されるターゲットテープを備える使い捨ておむつにおいて、
　上記ターゲットテープの基材が延伸ポリプロピレンで、かつ上記ファスニングテープの基材がポリエチレン又はポリプロピレンであり、
　上記ターゲットテープの表面に、側鎖にアルキル基を導入したシリコーンが塗布されており、上記ファスニングテープは、その先端部の上記ターゲットテープと接する面に粘着剤を有し、上記ターゲットテープに対する上記ファスニングテープの剥離力が３００ｇ／２５ｍｍ〜１５００ｇ／２５ｍｍであることを特徴とする使い捨ておむつ。
　【請求項２】上記ターゲットテープに対する上記ファスニングテープの剥離音が、（１）可聴域の周波数域における騒音レベルが６０ｄＢ以下、（２）１〜６．３ＫＨＺ周波数において、騒音レベルの極大値が４５ｄＢ以下で且つ該極大値と極小値との差が小さい、（３）１ＫＨＺより小さい低周波数域に騒音レベルが出現しない、ことを特徴とする請求項１記載の使い捨ておむつ。」
に訂正する。
（２）明りょうでない記載の釈明を目的として、発明の詳細な説明の記載を次のように訂正する。
「【０００８】【課題を解決するための手段】本発明は、液透過性の表面シートと液不透過性の裏面シートとこれら両シート間に位置する吸収体とを有するおむつ本体及び該おむつ本体を着用者に保持するファスニングテープが貼着されるターゲットテープを備える使い捨ておむつにおいて、上記ターゲットテープの表面に、側鎖にアルキル基を導入したシリコーンが塗布されており、上記ファスニングテープは、その先端部の上記ターゲットテープと接する面に粘着剤を有し、上記ターゲットテープに対する上記ファスニングテープの剥離力が３００ｇ／２５ｍｍ〜１５００ｇ／２５ｍｍであることを特徴とする使い捨ておむつを提供することにより、上記目的を達成したものである。」
を、
「【０００８】【課題を解決するための手段】本発明は、液透過性の表面シートと液不透過性の裏面シートとこれら両シート間に位置する吸収体とを有するおむつ本体及び該おむつ本体を着用者に保持するファスニングテープが貼着されるターゲットテープを備える使い捨ておむつにおいて、上記ターゲットテープの基材が延伸ポリプロピレンで、かつ上記ファスニングテープの基材がポリエチレン又はポリプロピレンであり、上記ターゲットテープの表面に、側鎖にアルキル基を導入したシリコーンが塗布されており、上記ファスニングテープは、その先端部の上記ターゲットテープと接する面に粘着剤を有し、上記ターゲットテープに対する上記ファスニングテープの剥離力が３００ｇ／２５ｍｍ〜１５００ｇ／２５ｍｍであることを特徴とする使い捨ておむつを提供することにより、上記目的を達成したものである。」
に訂正する。
（５４）【発明の名称】
使い捨ておむつ
（５７）【特許請求の範囲】
　【請求項１】液透過性の表面シートと液不透過性の裏面シートとこれら両シート間に位置する吸収体とを有するおむつ本体及び該おむつ本体を着用者に保持するファスニングテープが貼着されるターゲットテープを備える使い捨ておむつにおいて、
　
上記ターゲットテープの基材が延伸ポリプロピレンで、かつ上記ファスニングテープの基材がポリエチレン又はポリプロピレンであり、
　上記ターゲットテープの表面に、側鎖にアルキル基を導入したシリコーンが塗布されており、上記ファスニングテープは、その先端部の上記ターゲットテープと接する面に粘着剤を有し、上記ターゲットテープに対する上記ファスニングテープの剥離力が３００ｇ／２５ｍｍ〜１５００ｇ／２５ｍｍであることを特徴とする使い捨ておむつ。
　【請求項２】上記ターゲットテープに対する上記ファスニングテープの剥離音が、（１）可聴域の周波数域における騒音レベルが６０ｄＢ以下、（２）１〜６．３ＫＨＺ周波数において、騒音レベルの極大値が４５ｄＢ以下で且つ該極大値と極小値との差が小さい、（３）１ＫＨＺより小さい低周波数域に騒音レベルが出現しない、ことを特徴とする請求項１記載の使い捨ておむつ。
【発明の詳細な説明】
　【０００１】
　【産業上の利用分野】本発明は、乳児（いわゆる赤ちゃん）、幼児用の使い捨ておむつ、特に、着用時にファスニングテープをターゲットテープに貼着しておむつ本体を着用者に保持するいわゆるフラットタイプの使い捨ておむつに関する。
　【０００２】
　【従来の技術】この種の使い捨ておむつにおいては、液透過性の表面シートと液不透過性の裏面シートとこれら両シート間に位置する吸収体とからなるおむつ本体を、ファスニングテープ（止着テープ）にて着用者に止着して保持している。ファスニングテープは、おむつ本体の背側にその基端部が固定され、おむつ本体の腹側に配置されたターゲットテープ（止着領域）にファスニングテープの先端部分を止着するようになっている。
　【０００３】そして、使い捨ておむつを着用者から外す時には、ファスニングテープをターゲットテープから引き剥がして、着用者からおむつ本体を外すようになっている。かかる使い捨ておむつに使用されるファスニングテープは、おむつが装着される間、ターゲットテープにしっかりと保持される必要がある、一方、おむつの位置決めや、再装着等のため、ファスニングテープがターゲットテープから容易に剥がれ、再度貼着可能であることが要求される。このようなファスニングテープの着脱機能を向上させることより、おむつの身体へのフィット性を高め且つ漏れ防止機構を向上させることができる。
　【０００４】従来、かかるファスニングテープの着脱機能を向上させる技術が種々提案されてきた。例えば、特開昭５６ー９４０２号公報には、ホットメルト接着剤により、止着領域の強度を向上させた技術、あるいは特開昭５８ー２０３１０１号公報のようにターゲトテープを設ける構成により、ファスニングテープの着脱機能を向上させた技術が開示されている。
　【０００５】
　【発明が解決しようとする課題】しかし、上述した従来のファスニングテープは、おむつの漏れ防止のみを目的としており、ファスニングテープの着脱機能については優れているが、ファスニングテープを引き剥がす際に、比較的大きな引き剥がし音が発生するという問題点がある。
　【０００６】このような引き剥がし音が発生すると、おむつの付け剥がし時に、乳児の眠りを覚ましてしまったり、乳児にびくつき等を生じさせるという不都合がある。一方、引き剥がし音を消音する方法として、ファスニングテープの粘着力を低下させることが考えられるが、粘着力を低下させたのでは、ファスニングテープの着脱機能を害することになり適当でない。
　【０００７】従って、本発明の目的は、ファスニングテープの着脱機能を害することなく、剥がし音を小さくすることができる使い捨ておむつを提供することにある。
　【０００８】
　【課題を解決するための手段】本発明は、液透過性の表面シートと液不透過性の裏面シートとこれら両シート間に位置する吸収体とを有するおむつ本体及び該おむつ本体を着用者に保持するファスニングテープが貼着されるターゲットテープを備える使い捨ておむつにおいて、
上記ターゲットテープの基材が延伸ポリプロピレンで、かつ上記ファスニングテープの基材がポリエチレン又はポリプロピレンであり、
　【０００９】
　【作用】本発明による使い捨ておむつによれば、ターゲットテープに、側鎖にアルキル基を導入したシリコーンを塗布することにより、該ターゲットテープに止着されるファスニングテープの剥がし音を小さくし、あるいは消音することができる。しかも、ファスニングテープの粘着力をかえるものでないから、ファスニングテープの着脱機能を害することがない。
　【００１０】
　【実施例】以下に添付図面の図１〜図３を参照して本発明の実施例を詳細に説明する。図１は本発明の使い捨ておむつの展開状態を示す平面図、図２は図１に示す使い捨ておむつの装着状態を示す斜視図、図３はターゲットテープの断面図である。
　【００１１】本実施例の使い捨ておむつ１は、液透過性の表面シート２と液不透過性の裏面シート３とこれら両シート間に位置する吸収体４とを有するおむつ本体５及び該おむつ本体５を着用者に保持するファスニングテープ６が貼着されるターゲットテープ７を備える使い捨ておむつにおいて、上記ターゲットテープ７の表面に、側鎖にアルキル基を導入したシリコーン（以下、シリコーン系処理剤という）８が塗布されており、上記ファスニングテープは、その先端部の上記ターゲットテープと接する面に粘着剤を有し、上記ターゲットテープに対する上記ファスニングテープの剥離力が３００ｇ／２５ｍｍ〜１５００ｇ／２５ｍｍであることを特徴としている。
　【００１２】上記表面シート２は、排泄物を吸収体４へ透過させる液透過性シートで肌着に近い感触を有したものが好ましく、このような液透過性シートとしては、例えば、織布、不織布、多孔性フィルム等が用いられる。裏面シート３は、熱可塑性樹脂にフィラーを加えて延伸した液不透過性且つ蒸気を透過させる蒸気透過性のフィルムシート、または繊維集合体が用いられる。
　【００１３】吸収体４は、解繊パルプを主材とし、高分子吸水ポリマーを併用したものが好ましく、その他、熱可塑性樹脂、セルロース繊維、あるいは高分子吸水ポリマーの混合物に熱処理したものが好ましい。高分子吸水ポリマーの存在位置は上層、中層、下層のいずれであってもよく、パルプと混合したものであってもよい。高分子吸水ポリマーは自重の２０倍以上の液体を吸収して保持する性能を有し、ゲル化する性質を有する粒子状のものが好ましく、このような高分子吸水ポリマーとしては、デンプン−アクリル酸（塩）グラフト共重合体のケン化物、ナトリウムカルボキシメチルセルロースの架橋物、アクリル酸（塩）重合体等が好ましい。
　【００１４】おむつ本体５の背側には、その裏面シート３に一対のファスニングテープ６、６の基端が固定されている。このファスニングテープ６、６の先端部には粘着剤が塗布されており、ターゲットテープ７に貼着するようになっている。かかるファスニングテープ６の粘着剤としては、通常の粘着剤、例えば、スチレンーブタジエンブロック共重合体、スチレンーイソプレンブロック共重合体、アクリル酸エステル、アクリル共重合体、酢酸ビニル、エチレンー酢酸ビニル共重合体等のホットメルト樹脂あるいはエマルジョンが用いられる。
　【００１５】おむつ本体５の腹側には、その裏面シート３に四角形形状のターゲットテープ７が配置されている。ターゲットテープ７は、基材９を備え、該基材９の表面にはシリコーン系処理剤８が塗布され、ターゲットテープ７の裏面側には粘着剤１２が塗布されて裏面シート３に接合固定されている。かかるシリコーン系処理剤８をターゲットテープ７に塗布することにより、ここに貼着されたファスニングテープ６の剥離をなめらかにすることができる。
　【００１６】シリコーン系処理剤８は、上記ターゲットテープに対するファスニングテープの剥離力が３００ｇ／２５ｍｍ〜１５００ｇ／２５ｍｍである。かかる範囲では、音の強さ大きさが充分小さく、音圧レベルを低くできるので、充分に剥離音を消音できるからである。また、上記ターゲットテープに対するファスニングテープの剥離音は、（１）可聴域の周波数域において騒音レベルが６０ｄＢ以下、（２）１〜６．３ＫＨＺ周波数において騒音レベルの極大値が４５ｄＢ以下且つ該極大値と極小値との差が小さいこと、（３）１ＫＨＺ以下の低周波数域に騒音レベルが出現しない、という以上の（１）から（３）を満たすように設定されている。
　【００１７】尚、図１中、符号１３は、ファスニングテープ６のためのリリーステープである。
〔比較実験〕以下のように実施品と比較品とを作成し、それぞれについて、剥離試験を行なった。
　【００１８】（実施品１）ファスニングテープ６として、ポリエチレン（ＰＥ）及びポリプロピレン（ＰＰ）のシート（厚み１９５μｍ）を基材とし、粘着剤を８０μｍで塗布したものを用いた。ターゲットテープ７は、基材９として延伸ポリプロピレン（ＯＰＰ）フィルムを用い、シリコーン系の背面処理剤を塗布し、剥離力は４７１ｇ／２５ｍｍに設定した。
　【００１９】尚、背面処理剤としては、側鎖にアルキル基を導入したシリコーンを用いた。
（実施品２）ファスニングテープ６として、ポリプロピレン（ＰＰ）のシート（厚み１６０μｍ）を基材とし、粘着剤を５０μｍで塗布したものを用いた。ターゲットテープ７は、基材９として延伸ポリプロピレン（ＯＰＰ）を用い、シリコーン系の背面処理剤を塗布し、剥離力は３８０ｇ／２５ｍｍに設定した。
　【００２０】背面処理剤としては、実施品１と同じものを用いた。
（比較品１）ファスニングテープ６として、ポリプロピレン（ＰＰ）のシート（厚み１６０μｍ）を基材とし、粘着剤を５０μｍで塗布したものを用いた。ターゲットテープ７は、基材９として延伸ポリプロピレン（ＯＰＰ）フィルムを用い、長鎖アルキル系背面処理剤を塗布し、剥離力は２０７ｇ／２５ｍｍに設定した。
　【００２１】長鎖アルキル系背面処理剤としては、ポリビニルアルコールをアルキルイソシアネートでウレタン化したものを用いた。
（比較品２）ファスニングテープ６として、ポリエチレン（ＰＥ）及びポリプロピレン（ＰＰ）の複合シート（厚み１００μｍ）を基材とし、粘着剤を１００μｍで塗布したものを用いた。
　【００２２】ターゲットテープ７は、基材９として延伸ポリプロピレン（ＯＰＰ）フィルムを用い、長鎖アルキル系背面処理剤を塗布し、剥離力は５０７ｇ／２５ｍｍに設定した。長鎖アルキル系背面処理剤としては、比較品１と同じものを用いた。
（比較品３）ファスニングテープ６として、ポリエチレン（ＰＥ）及びポリプロピレン（ＰＰ）の複合シート（厚み１９５μｍ）を基材とし、粘着剤を８０μｍで塗布したものを用いた。
　【００２３】ターゲットテープ７は、基材９として延伸ポリプロピレン（ＯＰＰ）フィルムを用い、長鎖アルキル系背面処理剤を塗布し、剥離力は４４０ｇ／２５ｍｍに設定した。長鎖アルキル系背面処理剤としては、比較品１と同じものを用いた。尚、剥離力の測定は、恒温恒温室（２３℃、６５％ＲＨ）にてテンシロン型引張試験機で測定をおこなったもので、ステンレス板にターゲットテープをエアーが入らないように張り合わせて圧着し、ファスニングテープを１Ｋｇローラー１往復張り合わせ１８０°剥離試験をおこなったときの測定値である。
　【００２４】上述した実施品と比較品との構成を下記表１にまとめた。
　【００２５】
　【表１】
これの実施品及び比較品の夫々について、次のような剥がし音の測定実験をおこなった。
　【００２６】剥がし音の測定には、無響音室においてファスニングテープの剥がし音を録音したが、録音は、マイクでピックアップした音を精密騒音系（アンプ）で増幅し、かつ人間の感覚に近づけるために１〜６．３ＫＨｚの周波数域を強調した特性Ａにより補正し、それをレコーダで録音した。解析は精密騒音計（（株）リオン製ＮＡ４０）に１／３オクターブ分析器を接続し可聴域でのデシベル（ｄＢ）を測定した。
　【００２７】測定モードは、サンプリング中の各オクターブバンドの最大値を取るものを選択した。（各々の値はテープを剥がすとき最大を記録した。）その結果を下記表２に示す。
　【００２８】
　【表２】
ここで、◎はきわめて剥がし音が小さい、○は剥がし音が小さい、×は剥がし音がかなり大きいことを示す。
　【００２９】尚、スムースとは、剥がし音の最大値と最小値との差、即ち振幅が小さい剥離モードのことであり、ジャーキーとは振幅が大きい剥離モードのことである。上記表２から明らかなように、比較品の剥がし音の音量が７８ｄＢ以上であるのに対して、実施例品１及び２の剥がし音の音量が５８、６２ｄＢと低く、人間の感覚においても剥がし音を充分に小さくすることができた。しかも、剥離力は比較品と略かわらず、ファスニングテープの着脱機能を害することがない。
　【００３０】従って、本実施例品によれば、おむつが着用者に装着されている間、適所にしっかりと保持され、しかも、止着領域からきれいにはがすことができ、かつ再び貼着可能に再止着が確実にできる。このように、本実施例によれば、再止着機能を高めることができるので、乳児等の着用者に対するおむつのフィット性を高め、漏れ防止機能を向上させることはもちろん、就寝時のおむつの付け剥がしにおいて、剥がし音を小さくすることができるから、乳児等に、不安、びく付き等を生じさせたり、就寝時の眠りを覚ますことがない。
　【００３１】本発明は上述した実施例に限定されることなく、本発明の要旨を逸脱しない範囲で種々変形可能である。例えば、ターゲットテープにおけるシリコーン系処理剤の塗布は、ターゲットテープ全体に塗布することに限らず、一部分に塗布したり、線状または点状に塗布するものであっても同様な効果を得ることができる。
　【００３２】
　【発明の効果】本発明の使い捨ておむつによれば、ファスニングテープの機能を害することなく、剥がし音を小さくすることができる。
【図面の簡単な説明】
　【図１】図１は、本発明の使い捨ておむつの展開状態を示す平面図である。
　【図２】図２は、図１に示す使い捨ておむつの装着状態を示す斜視図である。
　【図３】図３は、ターゲットテープの断面図である。
　【符号の説明】
　１　使い捨ておむつ
　２　表面シート
　３　裏面シート
　４　吸収体
　６　ファスニングテープ
　７　ターゲットテープ
　８　シリコーン系処理剤